【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
遠心式クロマトグラフ・システムであって、
軸の周りを回転するように構成されているローターと、
前記ローターに保持されている少なくとも１つのクロマトグラフ・エンクロージャと、
前記ローターに保持され、移動相流体を前記ローター上のサンプルと混合して混合流体を生成する混合チャンバーであって、前記ローターに保持される構成要素の回転を利用して前記サンプルと前記移動相流体との混合を促進し、前記クロマトグラフ・エンクロージャの上流側に配置される混合チャンバーと、を備える遠心式クロマトグラフ・システム。
【請求項２】
請求項１に記載の遠心式クロマトグラフ・システムはさらに、
前記混合チャンバーに流体連結する移動相流体リザーバーと、
前記混合チャンバーに流体連結するサンプル導入機構と、を備え、
前記移動相流体リザーバーと前記サンプル導入機構とが、前記ローター上又は前記ローター外のいずれかに配置されている、遠心式クロマトグラフ・システム。
【請求項３】
遠心式クロマトグラフ・システムであって、
クロマトグラフ・エンクロージャと、
前記クロマトグラフ・エンクロージャを保持し、前記クロマトグラフ・エンクロージャを回転させるローターと、
１つ以上の管路を含む前記クロマトグラフ・エンクロージャと流体連結し、ローター回転中に前記ローター上の前記クロマトグラフ・エンクロージャへの移動相流体の供給を容易にする流体供給機構であって、前記ローター回転中に静止している第１の部分と、前記ローター上に保持され、前記ローターと共に回転する第２の部分とを備え、概ね定常流体条件が前記ローター上に確立されるように、前記ローター回転中に、前記流体供給機構の前記第１の部分から前記第２の部分に流体を移動させるように構成されている流体供給機構と、
前記クロマトグラフ・エンクロージャに流体連結するサンプル導入機構であって、前記ローターが回転している間に前記クロマトグラフ・エンクロージャにサンプル流体を導入するように構成され、サンプル導入信号を受信し、前記サンプル導入信号の受信に応じて前記サンプル流体の導入を開始するサンプル導入機構と、を備える遠心式クロマトグラフ・システム。
【請求項４】
クロマトグラフ・システムであって、
クロマトグラフ・エンクロージャと、
前記クロマトグラフ・エンクロージャを保持し、前記クロマトグラフ・エンクロージャを回転させるローターと、
１つ以上の管路を含む前記クロマトグラフ・エンクロージャと流体連結し、ローター回転中に前記ローター上の前記クロマトグラフ・エンクロージャへの移動相流体の供給を容易にする流体供給機構であって、前記ローター回転中に静止している第１の部分と、前記ローター上に保持され、前記ローターと共に回転する第２の部分とを備え、概ね定常流体条件が前記ローター上に確立されるように、前記ローター回転中に、前記流体供給機構の前記第１の部分から前記第２の部分に流体を移動させるように構成されている流体供給機構と、
前記クロマトグラフ・エンクロージャに流体連結するサンプル導入機構であって、前記ローターが回転している間に前記クロマトグラフ・エンクロージャにサンプル流体を導入するサンプル導入機構と、
前記サンプル導入機構に接続され、前記サンプル流体の導入を自動的に開始する制御装置と、を備えるクロマトグラフ・システム。
【請求項５】
請求項４に記載の遠心式クロマトグラフ・システムであって、
前記制御装置は、前記遠心式クロマトグラフ・システムに関連する検知状態に少なくとも部分的に基づいて、前記サンプル流体の導入を開始する、遠心式クロマトグラフ・システム。
【請求項６】
請求項１から５のいずれかの請求項に記載のクロマトグラフ・システムであって、
前記ローターは複数のクロマトグラフ用カラム・エンクロージャを保持する、クロマトグラフ・システム。
【請求項７】
請求項１から６のいずれかの請求項に記載のクロマトグラフ・システムであって、
前記クロマトグラフ・エンクロージャは前記ローターと一体に形成される、クロマトグラフ・システム。
【請求項８】
請求項１から７のいずれかの請求項に記載のクロマトグラフ・システムはさらに、
１つ以上の前記クロマトグラフ・エンクロージャに流体連結する少なくとも１つの移動相流体リザーバーを備え、前記少なくとも１つの移動相流体リザーバーは前記ローター上に保持されている、クロマトグラフ・システム。
【請求項９】
請求項１から８のいずれかの請求項に記載のクロマトグラフ・システムはさらに、
１つ以上の前記クロマトグラフ・エンクロージャに流体連結する少なくとも１つのサンプル導入機構であって、前記ローターの回転時に、前記クロマトグラフ・エンクロージャにサンプル流体を導入するように構成されている少なくとも１つのサンプル導入機構を備える、クロマトグラフ・システム。
【請求項１０】
請求項９に記載のクロマトグラフ・システムであって、
前記サンプル導入機構は、前記ローター上に保持されている、クロマトグラフ・システム。
【請求項１１】
請求項１から１０のいずれかの請求項に記載のクロマトグラフ・システムはさらに、
前記クロマトグラフ・エンクロージャ内へのサンプル流体の導入を自動的に開始するように構成されている制御装置を備える、クロマトグラフ・システム。
【請求項１２】
請求項１１に記載のクロマトグラフ・システムであって、
前記制御装置は、前記ローターに保持される流体の状態を検出して、前記ローターにより保持される流体の検出された状態に少なくとも部分的に基づいて、前記ローターの回転中のいずれの時点でサンプル流体を導入するべきかを決定する、クロマトグラフ・システム。
【請求項１３】
請求項１から１２のいずれかの請求項に記載のクロマトグラフ・システムはさらに、
複数の検出機構を備え、各検出機構は前記クロマトグラフ・エンクロージャから排出される流体の物理的特性を測定し、
前記検出機構の少なくとも１つは前記ローター上に保持されている、クロマトグラフ・システム。
【請求項１４】
請求項１から１３のいずれかの請求項に記載のクロマトグラフ・システムはさらに、
前記ローターに接続される電源であって、前記ローター上に保持される１つ以上の装置に電力を供給する電源を備える、クロマトグラフ・システム。
【請求項１５】
請求項１から１４のいずれかの請求項に記載のクロマトグラフ・システムはさらに、
発電機を備え、
前記発電機は、前記ローター上に保持されている前記発電機の第１部分と、前記ローター外に配置されている前記発電機の第２部分とを備え、前記第１部分と前記第２部分との間の相互作用により、前記ローター上で利用可能な電流が発生する、クロマトグラフ・システム。
【請求項１６】
請求項１から１５のいずれかの請求項に記載のクロマトグラフ・システムはさらに、
電気的インターフェースを備え、
前記電気的インターフェースは、前記ローター上に保持されている前記電気的インターフェースの第１部分と、前記ローター外に配置されている前記電気的インターフェースの第２部分とを備え、前記ローターの回転時に、前記第１部分と前記第２部分とが接触して、前記第１部分と前記第２部分との間で電力が伝達される、クロマトグラフ・システム。
【請求項１７】
請求項１から１６のいずれかの請求項に記載のクロマトグラフ・システムはさらに、
前記ローター上に保持されている通信インターフェースであって、前記ローター上に保持されている第１の装置と前記ローター外に配置されている第２の装置との間で通信を確立する通信インターフェースを備える、クロマトグラフ・システム。
【請求項１８】
請求項１から１７のいずれかの請求項に記載のクロマトグラフ・システムであって、
前記クロマトグラフ固定相の粒径は、約１ミクロン未満である、クロマトグラフ・システム。
【請求項１９】
請求項１から１８のいずれかの請求項に記載のクロマトグラフ・システムであって、
前記クロマトグラフ固定相の粒径は、約１０オングストロームから１ミクロンの範囲である、クロマトグラフ・システム。
【請求項２０】
請求項１から１９のいずれかの請求項に記載のクロマトグラフ・システムであって、
複数のクロマトグラフ・エンクロージャの２つ以上が共有サンプル導入機構に流体連結し、前記共有サンプル導入機構が、前記２つ以上のクロマトグラフ・エンクロージャの各々に共通のサンプル流体を導入するように構成されている、クロマトグラフ・システム。
【請求項２１】
請求項１から２０のいずれかの請求項に記載のクロマトグラフ・システムはさらに、
１）複数のクロマトグラフ・エンクロージャと、２）混合チャンバーと、を備え、
前記クロマトグラフ・エンクロージャの各々は前記混合チャンバーに流体連結し、前記混合チャンバーは前記ローター上に保持されている、クロマトグラフ・システム。
【請求項２２】
請求項２１に記載のクロマトグラフ・システムであって、
前記混合チャンバーは、１つ以上の移動相リザーバーに流体連結し、前記クロマトグラフ・エンクロージャの各々は、前記混合チャンバー内で移動相流体が混合された後に、前記１つ以上の移動相リザーバーに貯蔵されている前記移動相流体を受け取る、クロマトグラフ・システム。
【請求項２３】
請求項２１または２２のいずれかに記載のクロマトグラフ・システムであって、
前記混合チャンバーは、前記混合チャンバー内に入る流体を混合する複数の混合ピンを備える、クロマトグラフ・システム。
【請求項２４】
請求項２１から２３のいずれかに記載のクロマトグラフ・システムであって、
前記混合チャンバーは、サンプル導入機構から受け取ったサンプル流体と移動相流体とを混合するように構成されている、クロマトグラフ・システム。
【請求項２５】
請求項１から２４のいずれかの請求項に記載のクロマトグラフ・システムはさらに、
１）前記ローター上に保持される第１部分と、２）前記ローターから離れた固定第２部分とを有する流出流体エンクロージャを備え、
前記第１部分の回転時、前記流出流体エンクロージャは、前記ローターから流体を受け取り、前記受け取った流体を前記ローター外に供給するように構成されている、クロマトグラフ・システム。
【請求項２６】
請求項１から２５のいずれかの請求項に記載のクロマトグラフ・システムであって、
前記ローターは、複数の流路に分岐される流路を備え、前記複数の流路の各々は、別々のクロマトグラフ・エンクロージャに流体を供給する、クロマトグラフ・システム。
【請求項２７】
請求項１から２６のいずれかの請求項に記載のクロマトグラフ・システムであって、
前記ローターは、前記クロマトグラフ・エンクロージャの下流側で１つの流路に合流する複数の流路を備える、クロマトグラフ・システム。
【請求項２８】
請求項１から２７のいずれかの請求項に記載のクロマトグラフ・システムはさらに、
前記ローターが回転している間、１つ以上の前記クロマトグラフ・エンクロージャを識別するインデックス作成システムを備える、クロマトグラフ・システム。
【請求項２９】
請求項１から２８のいずれかの請求項に記載のクロマトグラフ・システムはさらに、
２種類以上の異なる流体を含有する移動相流体を提供するグラジエント形成部であって、１つ以上の前記クロマトグラフ・エンクロージャに供給される前記２種類以上の異なる流体の各々の割合を時間と共に変化させるように構成されているグラジエント形成部を備える、クロマトグラフ・システム。
【請求項３０】
請求項１から２９のいずれかの請求項に記載のクロマトグラフ・システムはさらに、
少なくとも１つのクロマトグラフ・エンクロージャ、前記クロマトグラフ・エンクロージャ内の流体又はその組み合わせの、少なくとも温度を制御するように構成されている少なくとも１つの環境制御機構を備える、クロマトグラフ・システム。
【請求項３１】
請求項１から３０のいずれかの請求項に記載のクロマトグラフ・システムはさらに、
前記ローターを取り囲む密封エンクロージャを備え、
前記ローターが回転している間、大気圧未満の圧力を前記密封エンクロージャ内で維持する、クロマトグラフ・システム。
【請求項３２】
請求項１から３１のいずれかの請求項に記載のクロマトグラフ・システムはさらに、
１つ以上の検出機構に接続されるデータ管理システムであって、１）前記１つ以上の検出機構からデータを受信し、２）クロマトグラムを生成し、３）前記１つ以上の検出機構から受信した前記データと前記クロマトグラムを保存するように構成されているデータ管理システムを備える、クロマトグラフ・システム。
【請求項３３】
請求項１から３２のいずれかの請求項に記載のクロマトグラフ・システムであって、
前記クロマトグラフ・エンクロージャは、１）前記流体が前記クロマトグラフ・エンクロージャに入る入口と、２）前記流体が前記クロマトグラフ・エンクロージャから排出される出口と、を備え、
前記入口における流体圧力は、前記出口における流体圧力未満である、クロマトグラフ・システム。
【請求項３４】
遠心式クロマトグラフ・システムを操作する方法であって、
クロマトグラフ用カラムを保持するローターを回転させ、
前記クロマトグラフ用カラムを通る移動相流体の流れを形成させて、遠心力により前記移動相を前記クロマトグラフ用カラム内に通し、
サンプル流体を前記移動相流体の流れに入れることにより、前記サンプル流体を前記クロマトグラフ用カラム内に導入し、前記ローターの回転時に前記サンプル流体を導入する、方法。
【請求項３５】
請求項３４に記載の遠心式クロマトグラフ・システムを操作する方法はさらに、
前記サンプル流体の放出を開始させる、方法。
【請求項３６】
請求項３４または３５のいずれかに記載の方法はさらに、
前記クロマトグラフ用カラム内が移動相流体の定常流条件に到達したか否かを判定し、
前記クロマトグラフ用カラム内が移動相流体の定常流条件に到達したと判定された後に、前記サンプル流体を放出する、方法。
【請求項３７】
遠心式クロマトグラフ・システムを操作する方法であって、
クロマトグラフ固定相を含有するクロマトグラフ用カラムを保持するローターを回転させ、
前記ローターの回転中に、定常移動相流体リザーバーから移動相流体を前記クロマトグラフ用カラムに供給し、
遠心力により、前記固定相を含有する前記クロマトグラフ用カラム内に前記移動相を通す、方法。
【請求項３８】
遠心式クロマトグラフ・システムを操作する方法であって、
クロマトグラフ固定相を含有するクロマトグラフ用カラムを保持するローターを回転させ、
前記ローターの回転中に、定常サンプル流体リザーバーからサンプル流体を前記クロマトグラフ用カラムに供給し、
遠心力により、前記クロマトグラフ固定相を含有する前記クロマトグラフ用カラム内に前記サンプル流体を通す、方法。
【請求項３９】
遠心式クロマトグラフ・システムを操作する方法であって、
各々がクロマトグラフ固定相を含有する複数のクロマトグラフ用カラムを保持するローターを回転させ、
前記ローターの回転中に、前記ローターにより保持される混合チャンバー内でサンプルと移動相流体とを混合して、混合サンプルを形成し、
前記混合サンプルの異なる部分を前記混合チャンバーから前記複数のクロマトグラフ用カラムの各々に通すことにより、前記複数のクロマトグラフ用カラムが同様のサンプルを並行して処理する、方法。
【請求項４０】
遠心式クロマトグラフ・システムを操作する方法であって、
１）各々クロマトグラフ固定相を含有する複数のクロマトグラフ用カラムと、２）フラクション・リザーバーと、を保持するローターを回転させ、
前記クロマトグラフ・カラム内に移動相流体を通し、
少なくとも１つの前記クロマトグラフ用カラムを通過した流体のフラクションを前記フラクション・リザーバーに捕集する、方法。
【請求項４１】
遠心式クロマトグラフ・システムを操作する方法であって、
複数の非回転検出器を準備し、
１）各々クロマトグラフ固定相を含有する複数のクロマトグラフ用カラムと、２）複数のフローセルであって、前記フローセルの各々が各カラムの端部に近接して配置されていることにより、前記クロマトグラフ用カラムの１つから排出される流体を受け取る複数のフローセルと、を保持するローターを回転させ、
前記複数の非回転検出器の各々に関して、前記ローターの回転毎に一回、前記複数のフローセルの各々における前記流体の物理的特性を検出する、方法。
【請求項４２】
請求項３４から４１のいずれかの請求項に記載の方法はさらに、
前記移動相流体の組成を時間と共に変化させることにより、前記クロマトグラフ用カラム内に勾配溶離を生じさせる、方法。
【請求項４３】
請求項３４から４２のいずれかの請求項に記載の方法であって、
サンプル流体を貯蔵するためのサンプル・リザーバーが前記ローター上に保持されている、方法。
【請求項４４】
請求項３４から４３のいずれかの請求項に記載の方法はさらに、
前記ローター上に保持される密閉式混合チャンバー内で移動相流体サンプル流体とを混合する、方法。
【請求項４５】
請求項３４から４４のいずれかの請求項に記載の方法はさらに、
前記ローターの回転中に、定常移動相リザーバーから前記ローターに移動相流体を供給する、方法。
【請求項４６】
請求項３４から４５のいずれかの請求項に記載の方法はさらに、
前記ローターの回転中に、定常サンプル流体リザーバーから前記ローターにサンプル流体を供給する、方法。
【手続補正２】
【補正対象書類名】明細書
【補正対象項目名】０３３６
【補正方法】変更
【補正の内容】
【０３３６】
本発明には幾多の利点がある。さまざまな態様、実施形態又は実施例は、以下に説明する１つ以上の利点を有する。１つの利点として、遠心分離を利用してクロマトグラフ用カラムに流体を通すことにより、ＨＰＬＣ等の他の種類のクロマトグラフ手法よりも小さな固定相粒子を利用可能なことが挙げられる。小さな粒子を用いることにより、ＨＰＬＣ等の他の種類のクロマトグラフ手法と比べて、クロマトグラフ分離効率を向上させることができる。別の利点として、本明細書に記載するローター・アセンブリが多数のクロマトグラフ処理を同時に実行可能なことが挙げられる。多数のクロマトグラフ処理の「並行処理」により、スループットタイムが短くなり、ＨＰＬＣ等の他のクロマトグラフ処理の場合に時間がかかりすぎ、コストがかかりすぎるような分析を行なうことができる。本発明の多くの特徴や効果は、本明細書から明らかであり、本発明のこのような特徴や効果は、すべて、特許請求の範囲に記載される本発明の要旨の範囲内に含まれるものである。さらに、当業者には自明のように、さまざまな変形及び変更が可能であり、図示及び記載した具体的な構成や操作に本発明は何ら限定されるものではない。したがって、適当な変形や変更、及びその等価物は、すべて、本発明の要旨の範囲内に含まれる。
適用例１：遠心式カラムクロマトグラフ・システムであって、軸の周りを回転するように構成されているローターと、前記ローターに保持されている複数のクロマトグラフ用カラム・エンクロージャであって、各クロマトグラフ用カラム・エンクロージャは対応するクロマトグラフ固定相を含有し、かつ、前記クロマトグラフ用カラム・エンクロージャ内に含有される前記クロマトグラフ固定相を通る流体の移動を容易にするように構成され、前記ローターの回転によって生じる遠心力により前記クロマトグラフ用カラム・エンクロージャの軸方向に前記クロマトグラフ固定相の中を前記流体を移動させる、複数のクロマトグラフ用カラム・エンクロージャと、前記複数のクロマトグラフ用カラム・エンクロージャのうちの少なくとも選択された１つに流体連結するサンプル導入機構であって、前記ローターが回転している間に、前記選択されたクロマトグラフ用カラム・エンクロージャにサンプル流体を導入するサンプル導入機構と、前記ローターに保持され、前記複数のクロマトグラフ用カラム・エンクロージャに流体連結する溶離液リザーバーであって、前記複数のクロマトグラフ用カラム・エンクロージャから溶出される流体を収容する溶離液リザーバーと、を備える遠心式カラムクロマトグラフ・システム。
適用例２：遠心式クロマトグラフ・システムであって、軸の周りを回転するように構成されているローターと、前記ローターに保持されている複数のクロマトグラフ・エンクロージャであって、各クロマトグラフ・エンクロージャは、対応するクロマトグラフ固定相を含有し、かつ、前記クロマトグラフ・エンクロージャ内に含有される前記クロマトグラフ固定相を通る流体の移動を容易にするように構成され、前記ローターの回転によって生じる遠心力により前記クロマトグラフ固定相の中を前記流体を移動させる、複数のクロマトグラフ・エンクロージャと、前記ローターに保持され、前記複数のクロマトグラフ・エンクロージャに流体連結する溶離液リザーバーであって、前記複数のクロマトグラフ・エンクロージャから溶出される流体を収容する溶離液リザーバーと、を備える遠心式クロマトグラフ・システム。
適用例３：遠心式クロマトグラフ・システムであって、軸の周りを回転するように構成されているローターと、前記ローターに保持されている少なくとも１つのクロマトグラフ・エンクロージャと、前記ローターに保持され、移動相流体を前記ローター上のサンプルと混合して混合流体を生成する混合チャンバーであって、前記ローターに保持される構成要素の回転を利用して前記サンプルと前記移動相流体との混合を促進し、前記クロマトグラフ・エンクロージャの上流側に配置される混合チャンバーと、を備える遠心式クロマトグラフ・システム。
適用例４：適用例３に記載の遠心式クロマトグラフ・システムはさらに、前記混合チャンバーに流体連結する移動相流体リザーバーと、前記混合チャンバーに流体連結するサンプル導入機構と、を備え、前記移動相流体リザーバーと前記サンプル導入機構とが、前記ローター上又は前記ローター外のいずれかに配置されている、遠心式クロマトグラフ・システム。
適用例５：遠心式クロマトグラフ・システムであって、クロマトグラフ・エンクロージャと、前記クロマトグラフ・エンクロージャを保持し、前記クロマトグラフ・エンクロージャを回転させるローターと、前記クロマトグラフ・エンクロージャに流体連結するサンプル導入機構であって、前記ローターが回転している間に前記クロマトグラフ・エンクロージャにサンプル流体を導入するように構成され、サンプル導入信号を受信し、前記サンプル導入信号の受信に応じて前記サンプル流体の導入を開始するサンプル導入機構と、を備える遠心式クロマトグラフ・システム。
適用例６：クロマトグラフ・システムであって、クロマトグラフ・エンクロージャと、前記クロマトグラフ・エンクロージャを保持し、前記クロマトグラフ・エンクロージャを回転させるローターと、前記クロマトグラフ・エンクロージャに流体連結するサンプル導入機構であって、前記ローターが回転している間に前記クロマトグラフ・エンクロージャにサンプル流体を導入するサンプル導入機構と、前記サンプル導入機構に接続され、前記サンプル流体の導入を自動的に開始する制御装置と、を備えるクロマトグラフ・システム。
適用例７：適用例６に記載の遠心式クロマトグラフ・システムであって、前記制御装置は、前記遠心式クロマトグラフ・システムに関連する検知状態に少なくとも部分的に基づいて、前記サンプル流体の導入を開始する、遠心式クロマトグラフ・システム。
適用例８：クロマトグラフ・システムであって、対応するクロマトグラフ固定相を含有するクロマトグラフ・エンクロージャであって、前記クロマトグラフ・エンクロージャ内に含有される前記クロマトグラフ固定相を通る流体の移動を容易にするように構成されているクロマトグラフ・エンクロージャと、前記クロマトグラフ・エンクロージャを保持するローターであって、所定の角速度で前記クロマトグラフ・エンクロージャを回転させて、遠心力により流体を前記クロマトグラフ固定相を含む前記クロマトグラフ・エンクロージャ内で移動させるように構成されているローターと、流体エンクロージャであって、前記ローター回転時に静止している第１の部分と、前記ローター上に保持され、前記ローターと共に回転する第２の部分とを有し、前記クロマトグラフ・エンクロージャに流体連結する流体エンクロージャと、を備えるクロマトグラフ・システム。
適用例９：適用例８に記載の遠心式クロマトグラフ・システムであって、前記流体エンクロージャは、前記ローター上の前記クロマトグラフ・エンクロージャに供給するための移動相流体を保持するように構成されている移動相流体リザーバーである、遠心式クロマトグラフ・システム。
適用例１０：適用例８に記載の遠心式クロマトグラフ・システムであって、前記流体エンクロージャは、前記ローター上の前記クロマトグラフ・エンクロージャ内を通った溶離液を収容するように構成されている溶離液リザーバーである、遠心式クロマトグラフ・システム。
適用例１１：遠心式クロマトグラフ・システムであって、少なくとも１つのクロマトグラフ・エンクロージャを保持するローターであって、前記クロマトグラフ・エンクロージャを回転させて、遠心力により前記液体を少なくとも１つのクロマトグラフ・エンクロージャ内で移動させるように構成されているローターと、前記クロマトグラフ・エンクロージャに流体連結し、前記クロマトグラフ・エンクロージャへの移動相流体の供給を容易にする流体供給機構であって、前記ローター回転時に静止している第１の部分と、前記ローター上に保持され、前記ローターと共に回転する第２の部分とを備え、前記ローター回転時に、前記流体供給機構の前記第１の部分から前記第２の部分に流体を移動させるように構成されている流体供給機構と、を備える遠心式クロマトグラフ・システム。
適用例１２：遠心式クロマトグラフ・システムであって、軸の周りを回転するように構成されているローターと、前記ローター上に保持されていうクロマトグラフ・エンクロージャであって、対応するクロマトグラフ固定相を含有し、かつ、前記クロマトグラフ・エンクロージャ内に含有される前記クロマトグラフ固定相を通る流体の移動を容易にするように構成され、前記ローターの回転によって生じる遠心力により前記流体を前記クロマトグラフ固定相の中で移動させる、クロマトグラフ・エンクロージャと、前記クロマトグラフ・エンクロージャに流体連結し、フローウィンドウを備えるフローセルとを備え、前記クロマトグラフ・エンクロージャと前記フローセルとを通る流路であって、前記クロマトグラフ・エンクロージャの前記クロマトグラフ固定相内の所定位置から始まり前記フローウィンドウを通過する流路の内側断面積が実質的に一定である、遠心式クロマトグラフ・システム。
適用例１３：クロマトグラフ・システムに用いるのに適したフローセルであって、フローセル入口と、フローセル出口と、前記フローセル入口と前記フローセル出口との間に伸長する流路と、前記流路に沿って形成され、前記フローセルを通る物質の光学的検知を可能にするウィンドウと、を備え、前記入口の断面寸法と前記ウィンドウの断面寸法とが異なり、前記入口の断面積、前記ウィンドウの断面積、及び前記入口と前記ウィンドウとの間の領域の断面積が、前記流路に沿って実質的に一定である、フローセル。
適用例１４：適用例１３に記載のフローセルであって、前記流路の断面積が、前記フローセル入口から前記フローセル出口までの前記フローセル全体にわたって実質的に一定である、フローセル。
適用例１５：クロマトグラフ・システムであって、クロマトグラフ固定相を含有するクロマトグラフ用カラムと、適用例１３に記載のフローセルと、を備え、前記フローセルが前記クロマトグラフ用カラムの下流側に配置され、前記クロマトグラフ用カラムの断面寸法及び断面積とが、フローセル入口の断面寸法及び断面積と実質的に同じである、クロマトグラフ・システム。
適用例１６：適用例１５に記載のクロマトグラフ・システムであって、前記クロマトグラフ用カラムがローター上に保持され、前記ローターは、遠心力を与えて、前記固定相を介して移動相を移動させる、クロマトグラフ・システム。
適用例１７：遠心式カラムクロマトグラフ・システムであって、軸の周りを回転するように構成されているローターと、前記ローター上に保持されている複数のクロマトグラフ用カラム・エンクロージャであって、各クロマトグラフ用カラム・エンクロージャが、対応するクロマトグラフ固定相を含有し、かつ、前記クロマトグラフ用カラム・エンクロージャ内に含有される前記クロマトグラフ固定相を通る流体の移動を容易にするように構成され、前記ローターの回転によって生じる遠心力により前記流体を前記クロマトグラフ固定相の中で移動させる、複数のクロマトグラフ用カラム・エンクロージャと、少なくとも移動相流体を収容するカバー付き容器を備えるリザーバーであって、回転軸に近接して配置され、前記ローター上に保持され、前記複数のクロマトグラフ用カラム・エンクロージャの各々に流体連結するリザーバーと、を備える遠心式カラムクロマトグラフ・システム。
適用例１８：クロマトグラフ・システムであって、軸の周りを回転するように構成されているローターと、前記ローターに保持されているクロマトグラフ・エンクロージャであって、前記軸から第１の距離に位置する第１端と、前記軸から前記第１の距離より大きな第２の距離に位置する第２端と、を備えるクロマトグラフ・エンクロージャと、前記ローター上に保持されている前記第２端に近接して配置されるクロマトグラフ・エンクロージャに流体連結するフローセルと、前記クロマトグラフ・エンクロージャと前記ローターとに接続されている耐荷重機構であって、回転時に前記クロマトグラフ・エンクロージャによって前記フローセル内に伝達される機械的負荷を減少させ、前記機械的負荷を減少させることにより前記フローセル内のフローセル・ウィンドウの変形を防ぐように構成されている耐荷重機構と、を備えるクロマトグラフ・システム。
適用例１９：クロマトグラフ・システムであって、軸の周りを回転するように構成されているローターと、前記ローターに保持されているクロマトグラフ・エンクロージャと、前記ローターを取り囲む格納構造と、前記格納構造により支持されている複数のローター支持構造とを備え、各ローター支持構造はガスベアリングを備え、前記ガスベアリングは協働して、前記ローターの回転時に前記ローターを安定化させる、クロマトグラフ・システム。
適用例２０：適用例１９に記載のクロマトグラフ・システムであって、前記ローター支持構造の少なくとも一部は計器取り付け部として機能し、各計器取り付け部は前記クロマトグラフ・エンクロージャから排出されて、前記クロマトグラフ・エンクロージャの下流側に配置されているフローセルを通過する流体の特性を検出するのに適した対応する計器を支持するように構成されている、クロマトグラフ・システム。
適用例２１：遠心式クロマトグラフ・システムであって、ローターであって、前記ローターに保持されているクロマトグラフ・エンクロージャを備えるローターと、前記ローターに近接するガスベアリングであって、前記ローターの回転時に前記ローターを安定化させるように構成されているガスベアリングと、を備える遠心式クロマトグラフ・システム。
適用例２２：適用例２１に記載の遠心式クロマトグラフ・システムであって、前記ガスベアリングは、前記ローターと共に回転しない、遠心式クロマトグラフ・システム。
適用例２３：適用例２１に記載の遠心式クロマトグラフ・システムはさらに、前記ガスベアリングに流体連結するガスリザーバーであって、前記ガスベアリングから放出されるガスを供給するガスリザーバーを備える、遠心式クロマトグラフ・システム。
適用例２４：クロマトグラフ・システムであって、ローター上に保持されている複数のクロマトグラフ・エンクロージャであって、各クロマトグラフ・エンクロージャは、対応するクロマトグラフ固定相を含有し、かつ、前記クロマトグラフ・エンクロージャ内に含有される前記クロマトグラフ固定相を通る流体の移動を容易にするように構成され、前記ローターの回転によって生じる遠心力により前記流体を前記クロマトグラフ固定相の中を前記ローターの外周面に向かって移動させる、複数のクロマトグラフ・エンクロージャと、前記ローターの前記外周面の周りに配置されている複数のリンクであって、各リンクが２つの他のリンクと連結して、前記ローターの前記外周面の周りに連続した鎖の輪を形成し、１つ以上の前記リンクは、１）前記外周面に向かって移動する流体を収容し、及び、２）前記外周面から離れて内側に流体の方向を変える、ように構成されている流路を備える複数のリンクと、を備えるクロマトグラフ・システム。
適用例２５：前記いずれかの適用例に記載のクロマトグラフ・システムであって、前記ローターは複数のクロマトグラフ用カラム・エンクロージャを保持する、クロマトグラフ・システム。
適用例２６：前記いずれかの適用例に記載のクロマトグラフ・システムであって、各クロマトグラフ・エンクロージャは、対応するクロマトグラフ固定相を含有し、かつ、前記クロマトグラフ・エンクロージャ内に含有される前記クロマトグラフ固定相を通る流体の移動を容易にするように構成され、前記ローターの回転によって生じる遠心力により前記流体を前記クロマトグラフ固定相の中で移動させる、クロマトグラフ・システム。
適用例２７：前記いずれかの適用例に記載のクロマトグラフ・システムはさらに、前記ローターに角速度を与えるローター駆動システムを備える、クロマトグラフ・システム。
適用例２８：前記いずれかの適用例に記載のクロマトグラフ・システムであって、前記クロマトグラフ・エンクロージャは前記ローターと一体に形成される、クロマトグラフ・システム。
適用例２９：前記いずれかの適用例に記載のクロマトグラフ・システムであって、各クロマトグラフ・エンクロージャは、前記クロマトグラフ固定相を含有する少なくとも１つの中空内側部分を備える、クロマトグラフ・システム。
適用例３０：前記いずれかの適用例に記載のクロマトグラフ・システムはさらに、１つ以上の前記クロマトグラフ・エンクロージャに流体連結する少なくとも１つの移動相流体リザーバーを備える、クロマトグラフ・システム。
適用例３１：適用例３０に記載のクロマトグラフ・システムであって、前記少なくとも１つの移動相流体流体リザーバーは前記ローター上に保持されている、クロマトグラフ・システム。
適用例３２：前記いずれかの適用例に記載のクロマトグラフ・システムはさらに、１つ以上の前記クロマトグラフ・エンクロージャに流体連結する少なくとも１つのサンプル導入機構であって、前記ローターの回転時に、前記クロマトグラフ・エンクロージャにサンプル流体を導入するように構成されている少なくとも１つのサンプル導入機構を備える、クロマトグラフ・システム。
適用例３３：適用例３２に記載のクロマトグラフ・システムであって、前記サンプル導入機構は、前記ローター上に保持されている、クロマトグラフ・システム。
適用例３４：前記いずれかの適用例に記載のクロマトグラフ・システムはさらに、前記クロマトグラフ・エンクロージャ内へのサンプル流体の導入を自動的に開始するように構成されている制御装置を備える、クロマトグラフ・システム。
適用例３５：適用例３４に記載のクロマトグラフ・システムであって、前記制御装置は、前記ローターに保持される流体の状態を検出して、前記ローターにより保持される流体の検出された状態に少なくとも部分的に基づいて、前記ローターの回転中のいずれの時点でサンプル流体を導入するべきかを決定する、クロマトグラフ・システム。
適用例３６：適用例３５に記載のクロマトグラフ・システムであって、前記制御装置は前記ローター上に保持されている、クロマトグラフ・システム。
適用例３７：前記いずれかの適用例に記載のクロマトグラフ・システムはさらに、１つ以上の前記クロマトグラフ・エンクロージャに流体連結する少なくとも１つの溶離液リザーバーであって、前記１つ以上のクロマトグラフ・エンクロージャから溶出される流体を収容する少なくとも１つの溶離液リザーバーを備える、クロマトグラフ・システム。
適用例３８：適用例３７に記載のクロマトグラフ・システムであって、前記溶離液リザーバーは前記ローター上に保持されている、クロマトグラフ・システム。
適用例３９：適用例３７又は３８のいずれかに記載のクロマトグラフ・システムであって、前記溶離液リザーバーは２つ以上のチャンバーを備える、クロマトグラフ・システム。
適用例４０：適用例３７、３８又は３９のいずれかに記載のクロマトグラフ・システムであって、前記溶離液リザーバーの容量は可変である、クロマトグラフ・システム。
適用例４１：適用例３７、３８、３９又は４０のいずれかに記載のクロマトグラフ・システムはさらに、前記溶離液リザーバーに接続される容量制御機構であって、前記溶離液リザーバーの容量を制御する容量制御機構を備える、クロマトグラフ・システム。
適用例４２：前記いずれかの適用例に記載のクロマトグラフ・システムはさらに、前記溶離液リザーバー内の液面を検出するセンサーを備える、クロマトグラフ・システム。
適用例４３：前記いずれかの適用例に記載のクロマトグラフ・システムはさらに、１つ以上の前記クロマトグラフ・エンクロージャから排出される流体の物理的特性を測定する少なくとも１つの検出機構を備える、クロマトグラフ・システム。
適用例４４：前記いずれかの適用例に記載のクロマトグラフ・システムはさらに、複数の検出機構を備え、各検出機構は前記クロマトグラフ・エンクロージャから排出される流体の物理的特性を測定し、前記検出機構の少なくとも１つは前記ローター上に保持されている、クロマトグラフ・システム。
適用例４５：適用例４４に記載のクロマトグラフ・システムであって、前記検出機構の少なくとも１つは、レーザー誘起蛍光（LIF：Laser-Induced Fluorescence）検出器、屈折率検出器、紫外（UV：Ultra-Violet）吸光度検出器、可視光（Vis：visible）吸光度検出器、走査UV-Vis検出器、放射化学検出器、電気化学検出器、質量分析検出器、核磁気共鳴検出器及び光散乱検出器からなる群から選択される、クロマトグラフ・システム。
適用例４６：適用例４４又は４５のいずれかに記載のクロマトグラフ・システムであって、前記検出機構の少なくとも１つは、前記クロマトグラフ・エンクロージャから排出される前記流体の物理的特性に関係する信号を生成し、前記クロマトグラフ・システムはさらに、前記流体の物理的特性に関係する情報を出力するディスプレイ機構を備える、クロマトグラフ・システム。
適用例４７：適用例４４、４５又は４６のいずれかに記載のクロマトグラフ・システムはさらに、前記検出機構に関係するデータを処理するように設計又は構成されているプロセッサを備え、前記プロセッサは前記ローター上に保持されている、クロマトグラフ・システム。
適用例４８：前記いずれかの適用例に記載のクロマトグラフ・システムはさらに、前記ローター上に保持され、少なくとも１つのクロマトグラフ・エンクロージャから排出された流体を収容するように構成され、フローウィンドウを有するフローセルを備え、前記クロマトグラフ・エンクロージャと前記フローセルとを通る流路であって、前記クロマトグラフ・エンクロージャの前記クロマトグラフ固定相内の所定位置から始まり前記フローウィンドウを通過する流路の内側断面積が実質的に一定である、クロマトグラフ・システム。
適用例４９：前記いずれかの適用例に記載のクロマトグラフ・システムはさらに、前記ローターを取り囲む格納構造と、前記格納構造に接続される複数の計器取り付け部であって、前記ローターと一緒に回転しない複数の計器取り付け部と、を備えるクロマトグラフ・システム。
適用例５０：適用例４９に記載のクロマトグラフ・システムであって、各前記計器取り付け部は、格納式アームにより前記格納容器に取り付けられる、クロマトグラフ・システム。
適用例５１：適用例４９又は５０のいずれかに記載のクロマトグラフ・システムであって、各前記計器取り付け部はさらに、ガスベアリングを備え、前記ガスベアリングは、前記計器取り付け部に近接して前記ローターの回転時に前記ローターを安定化させる、クロマトグラフ・システム。
適用例５２：適用例４９、５０又は５１のいずれかに記載のクロマトグラフ・システムはさらに、前記ローターに保持され、少なくとも１つのクロマトグラフ・エンクロージャの少なくとも一部分を通過した流体を収容するように構成され、フローウィンドウを有するフローセルを備え、各前記計器取り付け部はさらに、光源と光検出機構とを備え、前記光源と前記光検出機構とが、前記ローター上の反対側に配置されて、前記光源が前記光検出機構に向けて光を伝達するように構成され、前記ローターの回転時に、前記光源と前記光検出機構との間を定期的に前記フローセルが通過することにより、前記光検出機構が前記フローセルを通過する流体の特性を検出する、クロマトグラフ・システム。
適用例５３：適用例５２に記載のクロマトグラフ・システムであって、前記光検出機構は、光電子増倍管、フォトダイオード、フォトダイオード・アレイ、CCD（電荷結合素子）の１つである、クロマトグラフ・システム。
適用例５４：適用例５２又は５３のいずれかに記載のクロマトグラフ・システムであって、前記ローターは、さまざまなクロマトグラフ用カラム・エンクロージャを保持し、各クロマトグラフ用カラム・エンクロージャは、対応するフローセルを有し、前記各クロマトグラフ用カラムに対応する前記フローセルが前記ローターの回転軸から実質的に同じ径方向の距離に配置されていることにより、前記光検出機構が前記ローラーの回転毎に一回前記各フローセルを通過する流体の特性を検出する、クロマトグラフ・システム。
適用例５５：前記いずれかの適用例に記載のクロマトグラフ・システムはさらに、前記クロマトグラフ・エンクロージャと１つ以上の試薬リザーバーとに流体連結する反応チャンバーであって、前記クロマトグラフ・エンクロージャから排出された流体を収容し、１つ以上の試薬と前記流体を反応させる反応チャンバーを備える、クロマトグラフ・システム。
適用例５６：適用例５５に記載のクロマトグラフ・システムであって、前記反応チャンバーは前記ローター上に保持されている、クロマトグラフ・システム。
適用例５７：適用例５５又は５６のいずれかに記載のクロマトグラフ・システムはさらに、前記反応チャンバーに接続される超音波振動発生装置であって、前記反応チャンバー内の化学反応を促進させる超音波振動発生装置を備える、クロマトグラフ・システム。
適用例５８：適用例５５、５６又は５７のいずれかに記載のクロマトグラフ・システムはさらに、前記反応チャンバーに接続されるエネルギー源を備え、前記エネルギー源からエネルギーを前記反応チャンバーに加えることにより、前記反応チャンバー内の化学反応を促進させる、クロマトグラフ・システム。
適用例５９：前記いずれかの適用例に記載のクロマトグラフ・システムはさらに、前記ローターに接続される電源であって、前記ローター上に保持される１つ以上の装置に電力を供給する電源を備える、クロマトグラフ・システム。
適用例６０：適用例５９に記載のクロマトグラフ・システムであって、前記電源はバッテリーを含む、クロマトグラフ・システム。
適用例６１：前記いずれかの適用例に記載のクロマトグラフ・システムはさらに、発電機を備え、前記発電機は、前記ローター上に保持されている前記発電機の第１部分と、前記ローター外に配置されている前記発電機の第２部分とを備え、前記第１部分と前記第２部分との間の相互作用により、前記ローター上で利用可能な電流が発生する、クロマトグラフ・システム。
適用例６２：前記いずれかの適用例に記載のクロマトグラフ・システムはさらに、電気的インターフェースを備え、前記電気的インターフェースは、前記ローター上に保持されている前記電気的インターフェースの第１部分と、前記ローター外に配置されている前記電気的インターフェースの第２部分とを備え、前記ローターの回転時に、前記第１部分と前記第２部分とが接触して、前記第１部分と前記第２部分との間で電力が伝達される、クロマトグラフ・システム。
適用例６３：前記いずれかの適用例に記載のクロマトグラフ・システムはさらに、前記ローター上に保持されている通信インターフェースであって、前記ローター上に保持されている第１の装置と前記ローター外に配置されている第２の装置との間で通信を確立する通信インターフェースを備える、クロマトグラフ・システム。
適用例６４：適用例６３に記載のクロマトグラフ・システムであって、前記通信インターフェースはワイヤレス通信インターフェースである、クロマトグラフ・システム。
適用例６５：前記いずれかの適用例に記載のクロマトグラフ・システムであって、前記クロマトグラフ固定相は、逆相クロマトグラフ処理に対応可能な非極性物質から構成され、前記移動相流体は、逆相クロマトグラフ処理に対応可能である、クロマトグラフ・システム。
適用例６６：前記いずれかの適用例に記載のクロマトグラフ・システムであって、前記クロマトグラフ・エンクロージャは、その長さに沿って、流体が流れる単一の管路を備える、クロマトグラフ・システム。
適用例６７：適用例１ないし６５のいずれかに記載のクロマトグラフ・システムであって、前記クロマトグラフ・エンクロージャは、その長さに沿って、流体が流れる複数の管路を備え、前記複数の管路の各々は前記クロマトグラフ・エンクロージャを通る別々の流路を提供する、クロマトグラフ・システム。
適用例６８：適用例６６又は６７のいずれかに記載のクロマトグラフ・システムであって、各管路の内面積は、前記長さに沿って一定である、クロマトグラフ・システム。
適用例６９：前記いずれかの適用例に記載のクロマトグラフ・システムであって、前記クロマトグラフ・エンクロージャは、長さ及び内径を有する円筒形カラムを備える、クロマトグラフ・システム。
適用例７０：適用例６９に記載のクロマトグラフ・システムであって、前記カラムは、長さが１０から４００ｃｍの範囲であり、内径が０．０２から２０００ｍｍの範囲である、クロマトグラフ・システム。
適用例７１：前記いずれかの適用例に記載のクロマトグラフ・システムであって、前記ローター上に保持される流路内の前記流体の最大作動圧力は、１００ＰＳＩ未満である、クロマトグラフ・システム。
適用例７２：前記いずれかの適用例に記載のクロマトグラフ・システムであって、前記クロマトグラフ固定相の粒径は、約１ミクロン未満である、クロマトグラフ・システム。
適用例７３：前記いずれかの適用例に記載のクロマトグラフ・システムであって、前記クロマトグラフ固定相の粒径は、約１０オングストロームから１ミクロンの範囲である、クロマトグラフ・システム。
適用例７４：前記いずれかの適用例に記載のクロマトグラフ・システムであってはさらに、前記ローター上に保持されている流路からの流体の漏出を検出するセンサーを備える、クロマトグラフ・システム。
適用例７５：前記いずれかの適用例に記載のクロマトグラフ・システムはさらに、少なくとも移動相流体を収容するカバー付き容器を備えるリザーバーであって、回転軸に近接して配置され、前記ローター上に保持され、複数のクロマトグラフ・エンクロージャの各々に流体連結するリザーバーを備える、クロマトグラフ・システム。
適用例７６：前記いずれかの適用例に記載のクロマトグラフ・システムであって、複数のクロマトグラフ・エンクロージャの２つ以上で、同じクロマトグラフ固定相物質が用いられる、クロマトグラフ・システム。
適用例７７：適用例１ないし７５のいずれかに記載のクロマトグラフ・システムであって、複数のクロマトグラフ・エンクロージャの２つ以上で、異なるクロマトグラフ固定相物質が用いられる、クロマトグラフ・システム。
適用例７８：前記いずれかの適用例に記載のクロマトグラフ・システムであって、複数のクロマトグラフ・エンクロージャの２つ以上が共有リザーバーに流体連結し、前記共有リザーバーから移動相流体を受け取る、クロマトグラフ・システム。
適用例７９：前記いずれかの適用例に記載のクロマトグラフ・システムであって、複数のクロマトグラフ・エンクロージャの２つ以上が共有サンプル導入機構に流体連結し、前記共有サンプル導入機構が、前記２つ以上のクロマトグラフ・エンクロージャの各々に共通のサンプル流体を導入するように構成されている、クロマトグラフ・システム。
適用例８０：前記いずれかの適用例に記載のクロマトグラフ・システムはさらに、１）複数のクロマトグラフ・エンクロージャと、２）混合チャンバーと、を備え、前記クロマトグラフ・エンクロージャの各々は前記混合チャンバーに流体連結し、前記混合チャンバーは前記ローター上に保持されている、クロマトグラフ・システム。
適用例８１：適用例８０に記載のクロマトグラフ・システムであって、前記混合チャンバーは、１つ以上の移動相リザーバーに流体連結し、前記クロマトグラフ・エンクロージャの各々は、前記混合チャンバー内で移動相流体が混合された後に、前記１つ以上の移動相リザーバーに貯蔵されている前記移動相流体を受け取る、クロマトグラフ・システム。
適用例８２：適用例８０又は８１のいずれかに記載のクロマトグラフ・システムであって、前記混合チャンバーは、前記混合チャンバー内に入る流体を混合する複数の混合ピンを備える、クロマトグラフ・システム。
適用例８３：適用例８０ないし８２のいずれかに記載のクロマトグラフ・システムであって、前記混合チャンバーは、サンプル導入機構から受け取ったサンプル流体と移動相流体とを混合するように構成されている、クロマトグラフ・システム。
適用例８４：前記いずれかの適用例に記載のクロマトグラフ・システムであって、前記ローターは、前記ローターの回転中心軸に実質的に垂直に伸長するディスク部を備え、複数のクロマトグラフ・エンクロージャは前記ディスク部上に保持され、各前記クロマトグラフ・エンクロージャ内で流体が前記回転中心軸から離れるように移動する、クロマトグラフ・システム。
適用例８５：前記いずれかの適用例に記載のクロマトグラフ・システムはさらに、１つ以上の前記クロマトグラフ・エンクロージャと前記ローターとの間に設けられる連結機構であって、前記ローターに対する前記１つ以上のクロマトグラフ・エンクロージャの配置を、前記１つ以上のクロマトグラフ・エンクロージャと前記ローターとが休止状態である第１の位置から前記１つ以上のクロマトグラフ・エンクロージャと前記ローターとが回転している第２の位置に変更する連結機構を備える、クロマトグラフ・システム。
適用例８６：前記いずれかの適用例に記載のクロマトグラフ・システムであって、前記ローターの回転中に前記ローター上に保持されている１つ以上の流路内の流体が加圧され、前記１つ以上の流路からの前記流体の漏出を防ぐために前記１つ以上の流路を密閉する、クロマトグラフ・システム。
適用例８７：前記いずれかの適用例に記載のクロマトグラフ・システムはさらに、１）前記ローターから離れた固定第１部分と、２）前記ローター上に保持される第２部分と、を有する流体エンクロージャを備え、前記第２部分の回転時、前記流体エンクロージャは、前記ローター外から移動相流体又はサンプル流体を受け取り、前記受け取った流体を前記クロマトグラフ・エンクロージャに供給するように構成されている、クロマトグラフ・システム。
適用例８８：適用例８７に記載のクロマトグラフ・システムはさらに、前記流体エンクロージャの前記固定第１部分に接続される流体管路であって、前記流体エンクロージャに前記流体を供給するように構成されている流体管路を備える、クロマトグラフ・システム。
適用例８９：適用例８７に記載のクロマトグラフ・システムはさらに、前記流体エンクロージャの前記固定第１部分に接続される複数の流体管路であって、それぞれが、前記流体エンクロージャに流体を供給するように構成されている複数の流体管路を備える、クロマトグラフ・システム。
適用例９０：適用例８７ないし８９のいずれかに記載のクロマトグラフ・システムであって、前記流体エンクロージャの前記第２部分は、前記第２部分の回転時に前記流体エンクロージャ内部で流体を混合するように構成されている１つ以上の構造を備える、クロマトグラフ・システム。
適用例９１：適用例８７ないし９０のいずれかに記載のクロマトグラフ・システムであって、前記流体エンクロージャの前記第１部分はさらに、ガスベアリングを備える、クロマトグラフ・システム。
適用例９２：適用例９１に記載のクロマトグラフ・システムであって、前記流体エンクロージャの前記第２部分はさらに、前記第２部分の回転時に前記ガスベアリングが載置される表面を備える、クロマトグラフ・システム。
適用例９３：適用例８７ないし９２のいずれかに記載のクロマトグラフ・システムであって、前記ローターの回転中に、前記流体エンクロージャの前記第１部分を通って、前記流体エンクロージャの前記第２部分に、前記ローターを安定化させる力が伝達される、クロマトグラフ・システム。
適用例９４：前記いずれかの適用例に記載のクロマトグラフ・システムはさらに、１）前記ローター上に保持される第１部分と、２）前記ローターから離れた固定第２部分とを有する流出流体エンクロージャを備え、前記第１部分の回転時、前記流出流体エンクロージャは、前記ローターから流体を受け取り、前記受け取った流体を前記ローター外に供給するように構成されている、クロマトグラフ・システム。
適用例９５：前記いずれかの適用例に記載のクロマトグラフ・システムはさらに、サンプル流体を放出するように構成されているサンプル導入機構と、前記サンプル導入機構に接続されている制御装置と、を備え、前記制御装置は、１）検出機構から信号を受信し、２）前記信号の変化が所定期間にわたって所定の範囲内であることを判定し、３）前記信号が前記所定期間にわたって前記所定の範囲内である場合に、前記サンプル流体を放出する命令を前記サンプル導入機構に対して出すように設計又は構成されている、クロマトグラフ・システム。
適用例９６：適用例９５に記載のクロマトグラフ・システムであって、前記検出機構から受信した前記信号は、前記クロマトグラフ・エンクロージャを通過した前記流体の特性に関連する、クロマトグラフ・システム。
適用例９７：適用例９６に記載のクロマトグラフ・システムはさらに、前記ローターの角速度に関連する信号を生成するように構成されている第２の検出機構を備える、クロマトグラフ・システム。
適用例９８：適用例９７に記載のクロマトグラフ・システムであって、前記制御装置はさらに、１）前記第２の検出機構から前記角速度に関連する信号を受信し、３）前記検出機構から受信した前記信号と前記第１の検出機構から受信した前記信号がいずれも前記所定期間にわたって前記所定の範囲内である場合に、前記サンプル流体を放出する命令を前記サンプル導入機構に対して出すように設計又は構成されている、クロマトグラフ・システム。
適用例９９：前記いずれかの適用例に記載のクロマトグラフ・システムはさらに、サンプル流体を放出するように構成されているサンプル導入機構と、前記サンプル導入機構に接続される制御装置と、を備え、前記制御装置は、１）前記クロマトグラフ・エンクロージャ内が定常条件に到達したか否かを判定し、２）定常条件に到達したか否かの前記判定に少なくとも部分的に基づいて、前記サンプル流体を放出する命令を前記サンプル導入機構に対して出すように設計又は構成されている、クロマトグラフ・システム。
適用例１００：適用例９９に記載のクロマトグラフ・システムはさらに、前記制御装置に通信可能に接続される第１の検出機構であって、経時変化する前記クロマトグラフ・システムの動作特性に関連する信号を生成する第１の検出機構を備え、前記制御装置による定常条件に到達したか否かの前記判定を、前記第１の検出機構から受信した信号に少なくとも部分的に基づいて行なう、クロマトグラフ・システム。
適用例１０１：適用例１００に記載のクロマトグラフ・システムであって、前記動作特性は、前記クロマトグラフ・エンクロージャを通過した前記流体の物理的特性に関連する、クロマトグラフ・システム。
適用例１０２：適用例１００に記載のクロマトグラフ・システムであって、前記動作特性は、前記ローターの角速度に関連する、クロマトグラフ・システム。
適用例１０３：前記いずれかの適用例に記載のクロマトグラフ・システムはさらに、前記ローター上に、加圧された流体を含有する閉鎖流路であって、１）前記流路の入口から前記流体を流入させ、前記軸から離れる方向に前記流体を移動させる第１部分と、２）前記第１部分と流体連結し、前記軸に向かう方向に前記流体を移動させ、前記流路の出口から流出させる第２部分であって、前記出口が前記軸から第１の径方向距離に位置し、前記ローターの回転中に前記軸からの距離が前記第１の径方向距離よりも小さな第２の径方向距離に前記第１部分内の液面が位置する場合に、前記流体が連続的に前記出口から排出される、第２部分と、３）前記流路の前記入口と前記出口との間に配置されている前記クロマトグラフ・エンクロージャと、を有する閉鎖流路を備える、クロマトグラフ・システム。
適用例１０４：適用例１０３に記載のクロマトグラフ・システムであって、前記流路は複数の部分を備え、前記複数の部分の各々は、別々の入口から前記流体を流入させ、前記軸から離れる方向に前記流体を移動させ、前記第２部分は、前記複数の部分の各々と流体連結する、クロマトグラフ・システム。
適用例１０５：前記いずれかの適用例に記載のクロマトグラフ・システムはさらに、前記クロマトグラフ・エンクロージャと流体連結するフローセルを備え、前記フローセルと前記クロマトグラフ・エンクロージャとの間を接続する流路であって、前記クロマトグラフ・エンクロージャのクロマトグラフ固定相内の所定の位置から始まり、前記クロマトグラフ・エンクロージャを通って前記フローセル内に入り、前記フローセルのフローウィンドウを通過し、前記フローセル内の所定の位置で終了する流路の内面積が一定である、クロマトグラフ・システム。
適用例１０６：前記いずれかの適用例に記載のクロマトグラフ・システムはさらに、記クロマトグラフ・エンクロージャと前記ローターとに接続される耐荷重機構であって、回転時に前記クロマトグラフ・エンクロージャによってフローセル内に伝達される機械的負荷を減少させ、前記機械的負荷を減少させることにより、前記クロマトグラフ・エンクロージャから前記フローセルに伝達される負荷による前記フローセル内のフローセル・ウィンドウの変形を防ぐように構成されている耐荷重機構を備える、クロマトグラフ・システム。
適用例１０７：前記いずれかの適用例に記載のクロマトグラフ・システムであって、前記ローター上に保持される流体管路の一部が可撓性を有する、クロマトグラフ・システム。
適用例１０８：前記いずれかの適用例に記載のクロマトグラフ・システムであって、複数のクロマトグラフ・エンクロージャと、前記複数のクロマトグラフ・エンクロージャと流体連結するリザーバーとは、共通の筺体を共有する、クロマトグラフ・システム。
適用例１０９：前記いずれかの適用例に記載のクロマトグラフ・システムであって、前記ローターは、複数の流路に分岐される流路を備え、前記複数の流路の各々は、別々のクロマトグラフ・エンクロージャに流体を供給する、クロマトグラフ・システム。
適用例１１０：前記いずれかの適用例に記載のクロマトグラフ・システムであって、前記ローターは、前記クロマトグラフ・エンクロージャの下流側で１つの流路に合流する複数の流路を備える、クロマトグラフ・システム。
適用例１１１：前記いずれかの適用例に記載のクロマトグラフ・システムであって、１つ以上の前記クロマトグラフ・エンクロージャの方向が、前記回転軸に対して固定されている、クロマトグラフ・システム。
適用例１１２：前記いずれかの適用例に記載のクロマトグラフ・システムであって、１つ以上の前記クロマトグラフ・エンクロージャが、径方向に、かつ、前記回転軸に対して垂直に伸長する、クロマトグラフ・システム。
適用例１１３：前記いずれかの適用例に記載のクロマトグラフ・システムはさらに、前記ローター上で前記流体を制御する１つ以上のバルブと、
前記１つ以上のバルブの状態を変化させる１つ以上の電子的に制御可能な作動機構と、を備えるクロマトグラフ・システム。
適用例１１４：前記いずれかの適用例に記載のクロマトグラフ・システムはさらに、前記クロマトグラフ・システム内で１つの位置から他の位置に流体を移動させる１つ以上のポンプを備える、クロマトグラフ・システム。
適用例１１５：適用例１１４に記載のクロマトグラフ・システムであって、前記１つ以上のポンプは前記ローター上に保持されている、クロマトグラフ・システム。
適用例１１６：前記いずれかの適用例に記載のクロマトグラフ・システムはさらに、前記ローターの角速度を制御する回転管理システムを備える、クロマトグラフ・システム。
適用例１１７：前記いずれかの適用例に記載のクロマトグラフ・システムはさらに、前記ローターが回転している間、１つ以上の前記クロマトグラフ・エンクロージャを識別するインデックス作成システムを備える、クロマトグラフ・システム。
適用例１１８：前記いずれかの適用例に記載のクロマトグラフ・システムはさらに、２種類以上の異なる流体を含有する移動相流体を提供するグラジエント形成部であって、１つ以上の前記クロマトグラフ・エンクロージャに供給される前記２種類以上の異なる流体の各々の割合を時間と共に変化させるように構成されているグラジエント形成部を備える、クロマトグラフ・システム。
適用例１１９：前記いずれかの適用例に記載のクロマトグラフ・システムはさらに、少なくとも１つのクロマトグラフ・エンクロージャ、前記クロマトグラフ・エンクロージャ内の流体又はその組み合わせの、少なくとも温度を制御するように構成されている少なくとも１つの環境制御機構を備える、クロマトグラフ・システム。
適用例１２０：適用例１１９に記載のクロマトグラフ・システムであって、前記環境制御機構は前記ローター上に保持されている、クロマトグラフ・システム。
適用例１２１：適用例１１９又は１２０のいずれかに記載のクロマトグラフ・システムであって、前記環境制御機構は、温度を目標レベルに維持するように構成されている、クロマトグラフ・システム。
適用例１２２：前記いずれかの適用例に記載のクロマトグラフ・システムはさらに、前記ローターを取り囲む密封エンクロージャを備え、前記ローターが回転している間、大気圧未満の圧力を前記密封エンクロージャ内で維持する、クロマトグラフ・システム。
適用例１２３：前記いずれかの適用例に記載のクロマトグラフ・システムはさらに、前記ローターに負荷を伝達して、前記ローターが回転している際に前記ローターの回転を安定化させるように構成されているガスベアリングを備える、クロマトグラフ・システム。
適用例１２４：前記いずれかの適用例に記載のクロマトグラフ・システムはさらに、前記ローター上に保持される少なくとも１つ又は複数のバルブを制御する流量管理システムを備える、クロマトグラフ・システム。
適用例１２５：前記いずれかの適用例に記載のクロマトグラフ・システムはさらに、１つ以上の検出機構に接続されるデータ管理システムであって、１）前記１つ以上の検出機構からデータを受信し、２）クロマトグラムを生成し、３）前記１つ以上の検出機構から受信した前記データと前記クロマトグラムを保存するように構成されているデータ管理システムを備える、クロマトグラフ・システム。
適用例１２６：前記いずれかの適用例に記載のクロマトグラフ・システムであって、前記クロマトグラフ・エンクロージャは、１）前記流体が前記クロマトグラフ・エンクロージャに入る入口と、２）前記流体が前記クロマトグラフ・エンクロージャから排出される出口と、を備え、前記入口における流体圧力は、前記出口における流体圧力未満である、クロマトグラフ・システム。
適用例１２７：前記いずれかの適用例に記載のクロマトグラフ・システムはさらに、前記ローターと一体に形成されているクロマトグラフ・エンクロージャと流体連結する流路を備える、クロマトグラフ・システム。
適用例１２８：前記いずれかの適用例に記載のクロマトグラフ・システムはさらに、少なくとも１つのクロマトグラフ・エンクロージャの温度を制御するように構成されている温度制御機構を備える、クロマトグラフ・システム。
適用例１２９：前記いずれかの適用例に記載のクロマトグラフ・システムはさらに、クロマトグラフ処理に対応可能な移動相流体を備え、
前記クロマトグラフ処理は、逆相分配、吸着、陰イオン交換、陽イオン交換、サイズ排除、ゲルろ過、アフィニティー相互作用又はこれらの組み合わせの１つ又は複数を含む、クロマトグラフ・システム。
適用例１３０：遠心式クロマトグラフ・システムを操作する方法であって、クロマトグラフ用カラムを保持するローターを回転させ、前記クロマトグラフ用カラムを通る移動相流体の流れを形成させて、遠心力により前記移動相を前記クロマトグラフ用カラム内に通し、サンプル流体を前記移動相流体の流れに入れることにより、前記サンプル流体を前記クロマトグラフ用カラム内に導入し、前記ローターの回転時に前記サンプル流体を導入する、方法。
適用例１３１：適用例１３０に記載の遠心式クロマトグラフ・システムを操作する方法はさらに、前記サンプル流体の放出を開始させる、方法。
適用例１３２：適用例１３０又は１３１のいずれかに記載の方法はさらに、前記クロマトグラフ用カラム内が移動相流体の定常流条件に到達したか否かを判定し、前記クロマトグラフ用カラム内が移動相流体の定常流条件に到達したと判定された後に、前記サンプル流体を放出する、方法。
適用例１３３：遠心式クロマトグラフ・システムを操作する方法であって、クロマトグラフ固定相を含有するクロマトグラフ用カラムを保持するローターを回転させ、前記ローターの回転中に、定常移動相流体リザーバーから移動相流体を前記クロマトグラフ用カラムに供給し、遠心力により、前記固定相を含有する前記クロマトグラフ用カラム内に前記移動相を通す、方法。
適用例１３４：遠心式クロマトグラフ・システムを操作する方法であって、クロマトグラフ固定相を含有するクロマトグラフ用カラムを保持するローターを回転させ、前記ローターの回転中に、定常サンプル流体リザーバーからサンプル流体を前記クロマトグラフ用カラムに供給し、遠心力により、前記クロマトグラフ固定相を含有する前記クロマトグラフ用カラム内に前記サンプル流体を通す、方法。
適用例１３５：遠心式クロマトグラフ・システムを操作する方法であって、各々がクロマトグラフ固定相を含有する複数のクロマトグラフ用カラムを保持するローターを回転させ、前記クロマトグラフ用カラム内に移動相流体を通し、前記複数のクロマトグラフ用カラムを通過した流体を、前記ローターにより保持される共通リザーバー内に捕集する、方法。
適用例１３６：遠心式クロマトグラフ・システムを操作する方法であって、各々がクロマトグラフ固定相を含有する複数のクロマトグラフ用カラムを保持するローターを回転させ、前記ローターの回転中に、前記ローターにより保持される混合チャンバー内でサンプルと移動相流体とを混合して、混合サンプルを形成し、前記混合サンプルの異なる部分を前記混合チャンバーから前記複数のクロマトグラフ用カラムの各々に通すことにより、前記複数のクロマトグラフ用カラムが同様のサンプルを並行して処理する、方法。
適用例１３７：遠心式クロマトグラフ・システムを操作する方法であって、１）各々クロマトグラフ固定相を含有する複数のクロマトグラフ用カラムと、２）密閉流体リザーバーと、を保持するローターを回転させ、前記密閉流体リザーバーから前記複数のクロマトグラフ用カラムの各々に流体を供給する、方法。
適用例１３８：遠心式クロマトグラフ・システムを操作する方法であって、１）各々クロマトグラフ固定相を含有する複数のクロマトグラフ用カラムと、２）フラクション・リザーバーと、を保持するローターを回転させ、前記クロマトグラフ・カラム内に移動相流体を通し、少なくとも１つの前記クロマトグラフ用カラムを通過した流体のフラクションを前記フラクション・リザーバーに捕集する、方法。
適用例１３９：遠心式クロマトグラフ・システムを操作する方法であって、複数の非回転検出器を準備し、１）各々クロマトグラフ固定相を含有する複数のクロマトグラフ用カラムと、２）複数のフローセルであって、前記フローセルの各々が各カラムの端部に近接して配置されていることにより、前記クロマトグラフ用カラムの１つから排出される流体を受け取る複数のフローセルと、を保持するローターを回転させ、前記複数の非回転検出器の各々に関して、前記ローターの回転毎に一回、前記複数のフローセルの各々における前記流体の物理的特性を検出する、方法。
適用例１４０：適用例１３９に記載の遠心式クロマトグラフ・システムを操作する方法はさらに、前記非回転検出器の一部だけを作動させる、方法。
適用例１４１：遠心式クロマトグラフ・システムを操作する方法であって、各々クロマトグラフ固定相を含有する複数のクロマトグラフ用カラムを保持するローターを回転させ、連続的に前記ローターを回転させる間に、少なくとも２つの異なるサンプルを少なくとも１つの前記クロマトグラフ用カラムに通し、前記サンプルの各々が異なる時間に導入される、方法。
適用例１４２：適用例１４１に記載の遠心式クロマトグラフ・システムを操作する方法であって、第１のサンプルの導入と第２のサンプルの導入との間に、１０から２０カラム容量の流体を前記１つのクロマトグラフ用カラムに通す、方法。
適用例１４３：遠心式クロマトグラフ・システムを操作する方法であって、各々クロマトグラフ固定相を含有する複数のクロマトグラフ用カラムを保持するローターを回転させ、前記ローターを１つ以上のガスベアリングで安定化させる、方法。
適用例１４４：前記いずれかの適用例に記載の方法はさらに、前記移動相流体の組成を時間と共に変化させることにより、前記クロマトグラフ用カラム内に勾配溶離を生じさせる、方法。
適用例１４５：前記いずれかの適用例に記載の方法はさらに、前記クロマトグラフ用カラムから排出される流体の物理的特性の経時変化に基づいて、定常条件に到達したか否かを判定する、方法。
適用例１４６：適用例１４５に記載の方法であって、前記クロマトグラフ用カラムの出口に近接するフローセルを用いて、前記物理的特性を測定する、方法。
適用例１４７：前記いずれかの適用例に記載の方法はさらに、前記ローターの角速度の経時変化に基づいて、定常条件に到達したか否かを判定する、方法。
適用例１４８：前記いずれかの適用例に記載の方法であって、サンプル流体を貯蔵するためのサンプル・リザーバーが前記ローター上に保持されている、方法。
適用例１４９：前記いずれかの適用例に記載の方法であって、移動相流体を貯蔵するための移動相流体リザーバーが前記ローター上に保持されている、方法。
適用例１５０：前記いずれかの適用例に記載の方法はさらに、前記ローター上に保持される密閉式混合チャンバー内で移動相流体サンプル流体とを混合する、方法。
適用例１５１：前記いずれかの適用例に記載の方法はさらに、前記ローターの回転中に、定常移動相リザーバーから前記ローターに移動相流体を供給する、方法。
適用例１５２：前記いずれかの適用例に記載の方法はさらに、前記ローターの回転中に、定常サンプル流体リザーバーから前記ローターにサンプル流体を供給する、方法。
適用例１５３：前記いずれかの適用例に記載の方法はさらに、前記ローターの回転中に、前記クロマトグラフ・エンクロージャから溶出された流体を格納構造に貯蔵する、方法。
適用例１５４：適用例１５３に記載の方法であって、前記格納構造は前記ローター上に保持されている、方法。
適用例１５５：適用例１５３又は１５４のいずれかに記載の方法であって、前記クロマトグラフ用カラムから溶出された前記流体は、前記サンプル流体から分離されたフラクションを含む、方法。
適用例１５６：前記いずれかの適用例に記載の方法はさらに、１つ以上の検出機構からデータを受信し、２）クロマトグラムを生成し、３）前記１つ以上の検出機構から受信した前記データと前記クロマトグラムとを保存する、方法。
適用例１５７：前記いずれかの適用例に記載の方法はさらに、前記ローター上に保持される１つ以上のバルブの作動状態を変化させて、前記ローター上の流路の変化に影響を与える、方法。
適用例１５８：前記いずれかの適用例に記載の方法はさらに、サンプル導入機構に命令を送信し、前記命令の受信に応じて、前記サンプル導入機構がクロマトグラフ用カラムに移動するサンプル流体を放出する、方法。
適用例１５９：前記いずれかの適用例に記載の方法はさらに、前記クロマトグラフ・エンクロージャの１つの温度を制御する、方法。